(57)【特許請求の範囲】
【請求項１】
観察対象の標本の像を結像する顕微鏡であって、
筆記具による記入が可能な材料を用いて形成されたシート状部材と、
当該顕微鏡の本体の表面であって接眼レンズが設けられる側の表面に設置され、前記シート状部材を保持する保持手段と、
当該顕微鏡の本体の表面であって前記接眼レンズが設けられる側の表面に設けられ、当該顕微鏡に関連する情報を表示する表示部と、
を備え、
前記シート状部材は、略透明な材料を用いて形成され、前記保持手段を介して前記表示部の表面に着脱自在に取り付けられることを特徴とする顕微鏡。
【請求項２】
前記シート状部材は、
前記表示部の表示内容に関連する情報が、前記表示部の表面に取り付けた状態で該表示内容の表示位置と対応する位置に印刷されていることを特徴とする請求項１に記載の顕微鏡。
【請求項３】
前記表示部は、可視光を発光する発光部を有し、
前記シート状部材は、
前記表示部の表面に取り付けた状態で前記発光部に対応する部分に設けられ、可視光線の透過率が他の部分における可視光線の透過率より低い低透過率領域を有することを特徴とする請求項１または２に記載の顕微鏡。
【請求項４】
前記シート状部材は、
前記表示部の表面に取り付けた状態で前記表示部の表面に視覚情報が記載された領域と重なる部分に開口が形成されていることを特徴とする請求項１〜３のいずれか一項に記載の顕微鏡。
【発明の詳細な説明】
【技術分野】
【０００１】
本発明は、観察対象の標本の像を結像する顕微鏡および該顕微鏡の本体に取り付けられるシート状部材に関する。
【背景技術】
【０００２】
近年、顕微鏡においては、ＣＰＵ等を用いて構成され、顕微鏡の動作を制御する制御部を備えたものが増えてきている。このような顕微鏡は、顕微鏡に関する情報を表示する表示手段を備える。具体的な表示手段としては、例えば顕微鏡の本体に設けられる表示部や、顕微鏡の本体とは別に設けられるディスプレイなどを挙げることができる。また、顕微鏡における表示手段として、顕微鏡の観察光学系に挿入された光学素子の機能を表示する表示体を用いて選択的な表示を行う光学素子表示装置も知られている（例えば、特許文献１を参照）。
【先行技術文献】
【特許文献】
【０００３】
【特許文献１】実用新案登録第２５８８１１２号公報
【発明の概要】
【発明が解決しようとする課題】
【０００４】
ところで、顕微鏡で観察を行う際には、ユーザが、観察時の顕微鏡の状態（セットアップ状態）や観察時に発生した状況などに関する情報を覚書として記録しておきたいことがある。このような場合に、ユーザが記録した情報を残しておく手段が顕微鏡にあると便利である。
【０００５】
しかしながら、従来の顕微鏡では、そのような情報をシステム内のメモリに記録するか、ユーザが自分のノート等に手書きで記録しておくしかなかった。このうち、メモリに記録する場合には、後で読み出して表示するのがわずらわしいだけでなく、複数のユーザで顕微鏡を共有する場合には、他のユーザに情報が正確に伝わらないおそれもある。また、ユーザが自分のノート等に記録する場合には、そのノートが顕微鏡の周囲から持ち運ばれてしまうと、内容を確認することができず、複数のユーザで顕微鏡を共有する場合には、メモリに記録する場合と同様、他のユーザに情報が正確に伝わらないおそれがあった。
【０００６】
本発明は、上記に鑑みてなされたものであって、ユーザが観察時に所望の情報を手書きで簡単に記録することができるとともに、その情報をユーザ間で容易に共有することができる顕微鏡および該顕微鏡の本体に取り付けられるシート状部材を提供することを目的とする。
【課題を解決するための手段】
【０００７】
上述した課題を解決し、目的を達成するために、本発明に係る顕微鏡は、観察対象の標本の像を結像する顕微鏡であって、筆記具による記入が可能な材料を用いて形成されたシート状部材と、当該顕微鏡の本体の表面であって接眼レンズが設けられる側の表面に設置され、前記シート状部材を保持する保持手段と、当該顕微鏡の本体の表面であって前記接眼レンズが設けられる側の表面に設けられ、当該顕微鏡に関連する情報を表示する表示部と、を備え、前記シート状部材は、略透明な材料を用いて形成され、前記保持手段を介して前記表示部の表面に着脱自在に取り付けられることを特徴とする。
【０００９】
本発明に係る顕微鏡は、上記発明において、前記シート状部材は、前記表示部の表示内容に関連する情報が、前記表示部の表面に取り付けた状態で該表示内容の表示位置と対応する位置に印刷されていることを特徴とする。
【００１０】
本発明に係る顕微鏡は、上記発明において、前記表示部は、可視光を発光する発光部を有し、前記シート状部材は、前記表示部の表面に取り付けた状態で前記発光部に対応する部分に設けられ、可視光線の透過率が他の部分における可視光線の透過率より低い低透過率領域を有することを特徴とする。
【００１１】
本発明に係る顕微鏡は、上記発明において、前記シート状部材は、前記表示部の表面に取り付けた状態で前記表示部の表面に記載されている文字情報に対応する部分に開口が形成されていることを特徴とする。
【発明の効果】
【００１３】
本発明によれば、筆記具による記入が可能な材料を用いて形成され、顕微鏡の本体の表面であって接眼レンズが設けられる側の表面に対して着脱自在であるシート状部材を備えているため、ユーザが観察時に所望の情報を手書きで簡単に記録することができるとともに、その情報をユーザ間で容易に共有することができる。
【図面の簡単な説明】
【００１４】
【図１】図１は、本発明の実施の形態１に係る顕微鏡の全体構成を模式的に示す図である。
【図２】図２は、本発明の実施の形態１に係る顕微鏡の前面側の構成を示す部分斜視図である。
【図３】図３は、本発明の実施の形態１の変形例１−１に係る顕微鏡の前面側の構成を示す部分斜視図である。
【図４】図４は、本発明の実施の形態１の変形例１−２に係る顕微鏡の前面側の構成を示す部分斜視図である。
【図５】図５は、本発明の実施の形態２に係る顕微鏡の前面側の構成を示す部分斜視図である。
【図６】図６は、本発明の実施の形態２の変形例２−１に係るシート状部材の構成を示す図である。
【図７】図７は、本発明の実施の形態２の変形例２−１に係るシート状部材を鏡筒支持部に取り付けた状態を示す図である。
【図８】図８は、本発明の実施の形態３に係るシート状部材の構成を示す図である。
【図９】図９は、本発明の実施の形態３の変形例３−１に係るシート状部材の構成を示す図である。
【図１０】図１０は、本発明の実施の形態３の変形例３−１に係るシート状部材を鏡筒支持部に取り付けた状態を示す図である。
【図１１】図１１は、本発明の実施の形態４に係る顕微鏡の前面側の構成を示す部分斜視図である。
【図１２】図１２は、本発明の実施の形態４の変形例４−１に係る顕微鏡の前面側の構成を示す部分斜視図である。
【図１３】図１３は、本発明の実施の形態４の変形例４−２に係る顕微鏡の前面側の構成を示す部分斜視図である。
【図１４】図１４は、本発明の実施の形態５に係る顕微鏡の前面側の構成を示す部分斜視図である。
【図１５】図１５は、本発明の実施の形態５の変形例５−１に係る顕微鏡の前面側の構成を示す部分斜視図である。
【発明を実施するための形態】
【００１５】
以下、添付図面を参照して、本発明を実施するための形態（以下、「実施の形態」という）を説明する。なお、以下の説明で参照する図面は模式的なものであって、同じ物体を異なる図面で示す場合には、寸法や縮尺等が異なる場合もある。
【００１６】
（実施の形態１）
図１は、本発明の実施の形態１に係る顕微鏡の全体構成を模式的に示す図である。同図に示す顕微鏡１は、土台をなす本体部２と、本体部２の上面に取り付けられて標本Ｓｐを載置するステージ３と、本体部２の上方に位置し、ステージ３に載置された標本Ｓｐに対して透過照明を照射する透過照明部４と、を備える。標本Ｓｐは、ディッシュ、スライドガラスまたはビーカなどによって保持されている。
【００１７】
本体部２は、ステージ３および透過照明部４を支持する筐体部２ａと、筐体部２ａの側面のうち、接眼レンズが設けられて顕微鏡１のユーザと対向する側面である前面側（図１の右側面側）に設けられる鏡筒部２ｂと、筐体部２ａの前面から突出し、鏡筒部２ｂを支持する鏡筒支持部２ｃとを有する。
【００１８】
筐体部２ａは、互いに倍率が異なる複数の対物レンズ５を交換可能に保持するレボルバ６と、レボルバ６を回転自在に保持するレボルバ保持台７と、レボルバ保持台７を上下動させることによってレボルバ６に取り付けられた対物レンズ５の焦準操作を手動、あるいは電動で行う焦準操作部８と、を有する。筐体部２ａの背面側（図１の左側面側）には、落射照明光を発生する光源９ａを有する第１ランプハウス９が取り付けられる。筐体部２ａは、光軸が標本Ｓｐを通過する対物レンズ５を介して入射してくる標本Ｓｐの反射光もしくは透過光または第１ランプハウス９から出射された落射照明光の光路を切り換える蛍光用のミラーユニット１０と、複数種類のミラーユニット１０を収容可能なミラーカセット１１と、ミラーユニット１０が透過した観察光を結像する結像レンズ１２と、結像レンズ１２が結像した光を反射するミラー１３と、ミラー１３が反射した光をリレーするリレーレンズ１４と、顕微鏡１全体の動作を統括的に制御する制御部１５と、をさらに有する。制御部１５は、顕微鏡１の本体部２の内部に設置されていてもよいし、顕微鏡１の本体部２の外部に別途設置され、信号ケーブルなどを介して顕微鏡１の本体部２と電気的に接続されていてもよい。
【００１９】
ミラーユニット１０は、落射照明光として蛍光の励起光のみを透過する励起フィルタ１０ａと、励起光を反射して標本Ｓｐへ照射するとともに、標本Ｓｐからの観察光を透過するダイクロイックミラー１０ｂと、ダイクロイックミラー１０ｂを透過した観察光のうち所定の蛍光成分のみを透過する吸収フィルタ１０ｃと、を有する。
【００２０】
鏡筒部２ｂは、リレーレンズ１４を通過した光の光路を変更するプリズム１６と、プリズム１６によって光路が変更された光を集光する接眼レンズ１７と、を有する。
【００２１】
図２は、顕微鏡１の前面側（図１の右側面側）の構成を示す部分斜視図である。鏡筒支持部２ｃの前面は、傾斜して斜め上方を向いている。この前面には、二つのピン１８（保持手段）が立設されており、略長方形の主面を有する薄いシート状をなすシート状部材１９が着脱自在に取り付けられる。
【００２２】
シート状部材１９は、略長方形の一つの短辺の端部付近に、二つのピン１８をそれぞれ挿通可能な二つの孔部１９１が形成されている。シート状部材１９は、ユーザが筆記具を用いて所望の情報（文字、記号、絵、パターンなど）を手書きで記入することが可能な材料を用いて構成される。例えば、シート状部材１９はプラスチックによって構成される。プラスチック製のシート状部材１９を用いる場合、ユーザは、市販の油性ペンや水性ペンなどを用いてシート状部材１９に情報を記入することができる。油性ペンの場合、ユーザが記入した情報を消去する際には、アルコール等のクリーニング溶剤を用いればよい。
【００２３】
なお、紙を用いてシート状部材１９を構成することも可能である。紙製のシート状部材１９を適用する場合、ユーザは鉛筆、ボールペンまたは万年筆等によって情報を記入することも可能である。
【００２４】
引き続き、顕微鏡１の構成を説明する。透過照明部４は、本体部２に取り付けられて上方へ延びる透過照明支柱２０と、透過照明支柱２０の上端から透過照明支柱２０が延びる方向と直交する方向に延びるアーム２１と、透過照明支柱２０の上端付近でアーム２１が延びる側と反対側に設けられ、透過照明光を出射する光源２２ａを有する第２ランプハウス２２と、第２ランプハウス２２から出射された透過照明光を集光して標本Ｓｐに結像させるコンデンサレンズ２３と、透過照明支柱２０の略中央部に取り付けられてコンデンサレンズ２３を着脱可能に保持するコンデンサホルダ２４と、透過照明支柱２０の側面に設けられてコンデンサホルダ２４を上下動させることによってコンデンサレンズ２３の焦準操作を行うコンデンサ焦準操作部２５と、を有する。
【００２５】
アーム２１の内部には、第２ランプハウス２２から出射された光を集光するコレクタレンズ２６と、コレクタレンズ２６を通過した光の光量を調節可能な視野絞り２７と、視野絞り２７を通過した光を反射してコンデンサレンズ２３の光軸方向（入射方向と直交する方向）へ折り曲げるミラー２８とが設けられている。視野絞り２７の径は、図示しない視野絞り操作部によって調整可能である。
【００２６】
以上の構成を有する顕微鏡１において、シート状部材１９を取り付ける際には、ピン１８と孔部１９１の位置を合わせて孔部１９１にピン１８を挿通する。このため、ピン１８の突出長さは、シート状部材１９の厚さ以上であることが望ましい。なお、複数のシート状部材１９を取付可能とする場合には、ピン１８の長さをシート状部材１９の最大取付可能枚数分の厚さ以上とすればよい。
【００２７】
以上説明した本発明の実施の形態１によれば、筆記具による記入が可能な材料を用いて形成され、当該顕微鏡の本体の表面であって接眼レンズが設けられる側の表面に対して着脱自在であるシート状部材を備えているため、ユーザが観察時に所望の情報を手書きで簡単に記録することができるとともに、その情報をユーザ間で容易に共有することができる。
【００２８】
また、本実施の形態１によれば、シート状部材は顕微鏡の本体部への着脱を容易に行うことができるため、観察内容に応じてシート状部材を交換することもできる。
【００２９】
また、本実施の形態１によれば、シート状部材は製造も容易であり、量産化も可能である。したがって、本実施の形態１によれば、シート状部材を低コストで提供することができる。
【００３０】
（変形例１−１）
図３は、本実施の形態１の変形例１−１に係る顕微鏡の前面側の構成を示す部分斜視図である。同図に示す顕微鏡３１の本体部３２は、筐体部２ａと、鏡筒部２ｂと、鏡筒支持部２ｄとを有する。鏡筒支持部２ｄの前面には、二つの屈曲ピン３３（保持手段）が立設されている。屈曲ピン３３には、シート状部材１９が着脱自在に取り付けられる。
【００３１】
本変形例１−１によれば、シート状部材１９を二つの屈曲ピン３３で保持しているため、シート状部材１９が外れてしまうことが少なく、鏡筒支持部２ｄの前面においてシート状部材１９を安定して保持することができる。
【００３２】
（変形例１−２）
図４は、本実施の形態１の変形例１−２に係る顕微鏡の前面側の構成を示す部分斜視図である。同図に示す顕微鏡３４の本体部３５は、筐体部２ａと、鏡筒部２ｂと、鏡筒支持部２ｅとを有する。鏡筒支持部２ｅの前面には、帯状部材をＬ字状に屈曲させた形状をなすＬ字状部材３６（保持手段）が設けられている。Ｌ字状部材３６は、鏡筒支持部２ｅの横方向（幅方向）に広がる帯状をなし、鏡筒支持部２ｅの表面から鏡筒支持部２ｅと直交する方向に延び出し、途中で上方へ向けて略直角に屈曲した形状をなす。Ｌ字状部材３６には、略長方形の主面を有する薄いシート状をなすシート状部材３７が着脱自在に取り付けられる。
【００３３】
シート状部材３７は、略長方形の一つの短辺の端部付近に、Ｌ字状部材３６を挿通可能な長孔部３７１が形成されている。シート状部材３７は、シート状部材１９と同様、筆記具を用いて所望の情報を手書きで記入可能な材料を用いて構成される。
【００３４】
本変形例１−２によれば、Ｌ字状部材３６が広い範囲でシート状部材３７を保持するため、シート状部材３７が鏡筒支持部２ｅから外れてしまう可能性が低く、安定して保持することができる。加えて、本変形例１−２によれば、一つのＬ字状部材３６によってシート状部材３７を保持することができるため、部品点数を削減することもできる。
【００３５】
（実施の形態２）
図５は、本発明の実施の形態２に係る顕微鏡の前面側の構成を示す部分斜視図である。同図に示す顕微鏡４１の前面側以外の部分の構成は、実施の形態１で説明した顕微鏡１の構成と同様である。
【００３６】
顕微鏡４１の本体部４２は、筐体部２ａと、鏡筒部２ｂと、鏡筒支持部２ｆとを有する。鏡筒支持部２ｆの前面には、二つのピン１８（保持手段）に加えて、顕微鏡４１の状態や設定等に関連する情報を表示する表示部４３が設けられている。表示部４３は、制御部１５の制御のもと、対物レンズ５やミラーユニット１０の設置状態、透過照明光の光量の大きさなどの情報を表示する。図５において、破線で囲まれた領域４３１は、顕微鏡４１の状態を可視光によって表示する発光部である（以下、発光部４３１という）。図５では、項目ＯＢＪＥＣＴＩＶＥの状態「３」、項目ＭＩＲＲＯＲ  ＵＮＩＴの状態「Ｅ」、および最下列の「４」が発光している状態を示している。
【００３７】
二つのピン１８には、シート状部材４４が着脱自在に取付可能である。シート状部材４４は、略長方形の主面を有する薄いシート状をなしており、一つの短辺の端部付近に、二つのピン１８をそれぞれ挿通可能な二つの孔部４４１が形成されている。シート状部材４４は、略透明な材料を用いて実現されている。ここで、略透明とは、シート状部材４４を鏡筒支持部２ｆの表面に取り付けた状態で表示部４３の表示内容を正確に確認することができる程度の透明性を有していることを意味する。
【００３８】
顕微鏡４１におけるシート状部材４４の取付方法は、上述した実施の形態１と同様である。
【００３９】
以上説明した本発明の実施の形態２によれば、実施の形態１と同様、ユーザが観察時に所望の情報を手書きで簡単に記録することができるとともに、その情報をユーザ間で容易に共有することができる。また、本実施の形態２によれば、観察内容に応じてシート状部材を交換することもできる。
【００４０】
さらに、本実施の形態２によれば、シート状部材が略透明であるため、ユーザは、表示部の表示内容を確認しながら記録することができる。
【００４１】
（変形例２−１）
図６は、本実施の形態２の変形例２−１に係るシート状部材の構成を示す図である。同図に示すシート状部材４５は、シート状部材４４と同様、略透明な材料を用いて構成され、本体部４２の鏡筒支持部２ｆに立設されたピン１８を挿通可能な二つの孔部４５１が形成されている。また、シート状部材４５には、ユーザが顕微鏡４１を操作する際の手引きとなるガイド情報４５２が印刷されている。図６に示すガイド情報４５２は、「ＰＨＯＴＯ」という文字と、シート状部材４５の短辺方向を指示する矢印とからなる。
【００４２】
図７は、シート状部材４５を鏡筒支持部２ｆに取り付けた状態を示す図である。ガイド情報４５２の一部をなす矢印は、表示部４３の下辺部に並んだ数字「１」〜「５」のうち、「４」を指示している。この場合のガイド情報４５２は、写真を撮影する際に最適な光量レベルをユーザに知らせる機能を有している。なお、図７に示すガイド情報はあくまでも一例に過ぎず、様々なガイド情報を印刷することが可能である。
【００４３】
本変形例２−１によれば、ユーザは、シート状部材から顕微鏡を使用する際に有益な情報をさらに取得することができる。
【００４４】
（実施の形態３）
図８は、本発明の実施の形態３に係るシート状部材の構成を示す図である。同図に示すシート状部材４６は、略長方形の主面を有する薄いシート状をなしており、一つの短辺の端部付近には、実施の形態２で説明した本体部４２の鏡筒支持部２ｆに立設された二つのピン１８をそれぞれ挿通可能な二つの孔部４６１が形成されている。また、シート状部材４６は、略透明な材料を用いて形成され、その一部に他の部分よりも可視光線の透過率が低い低透過率領域４６２が設けられている。
【００４５】
低透過率領域４６２は、シート状部材４６を鏡筒支持部２ｆに取り付けた状態で表示部４３の発光部４３１（図５を参照）と重なる部分に設けられる。低透過率領域４６２は、シート状部材４６の他の領域と異なる材料を用いて形成してもよいし、略透明な材料に対して可視光線の透過率を低くするための処理を施すことによって形成してもよい。なお、ここでいう可視光線の透過率は、可視光線の中の基準波長（例えば５５０ｎｍ）に対して定められる量である。
【００４６】
以上説明した本発明の実施の形態３によれば、ユーザが観察時に所望の情報を手書きで簡単に記録することができるとともに、その情報をユーザ間で容易に共有することができる。また、本実施の形態３によれば、観察内容に応じてシート状部材を交換することもできる。
【００４７】
さらに、本実施の形態３によれば、低透過率領域によって表示部の発光部から外部へ出射される光量を抑制するため、例えば暗室などで蛍光観察を行うような場合に、表示部の表示内容を参照可能としつつも、発光による観察への影響を低減することができる。
【００４８】
（変形例３−１）
図９は、本実施の形態３の変形例３−１に係るシート状部材の構成を示す図である。同図に示すシート状部材４７は、略長方形の主面を有する薄いシート状をなしており、一つの短辺の端部付近には、実施の形態２で説明した本体部４２の鏡筒支持部２ｆに立設された二つのピン１８をそれぞれ挿通可能な二つの孔部４７１が形成されている。また、シート状部材４７は、略透明な材料を用いて構成され、その一部に他の部分よりも可視光線の透過率が低い低透過率領域４７２を有するとともに、表示部４３の表面において、文字、記号などの視覚情報が記載された視覚情報記載領域と対応する領域に開口部４７３が形成されている。
【００４９】
図１０は、シート状部材４７を鏡筒支持部２ｆに取り付けた状態を示す図である。図１０に示すように、開口部４７３は、表示部４３の表面で文字等の視覚情報が記載された領域の直上に位置している。
【００５０】
本変形例３−１によれば、シート状部材において顕微鏡の本体に取り付けたときの表示部の視覚情報記載領域に対応する位置に開口部を設けることにより、ユーザが表示部４３の視覚情報記載領域の上に情報を書き込んでしまい、表示部の表示内容を確認する際の妨げとなることを防止することができる。
【００５１】
（実施の形態４）
図１１は、本発明の実施の形態４に係る顕微鏡の前面側の構成を示す部分斜視図である。同図に示す顕微鏡５１の他の部分の構成は、実施の形態１で説明した顕微鏡１の構成と同様である。
【００５２】
顕微鏡５１の本体部５２の前面には、鏡筒部２ｂおよび鏡筒支持部２ｇが設けられている。鏡筒支持部２ｇの前面の略中央部には、上方から下方に向けて片持ち梁状に延在し、下端部が鏡筒支持部２ｇの前面に離間可能に当接する二つのクリップ部材５３（保持手段）が設けられている。この二つのクリップ部材５３は、略長方形の主面を有する薄いシート状をなすシート状部材５４を鏡筒支持部２ｇの前面との間で固定して留置するために設けられる。クリップ部材５３は、弾性変形可能な材料であればよく、例えば金属、合金またはプラスチック等を用いて実現される。
【００５３】
シート状部材５４を鏡筒支持部２ｇの前面に取り付ける際には、クリップ部材５３の下端部を引き上げて鏡筒支持部２ｇの前面から離間させた後、シート状部材５４の端部をクリップ部材５３の下端部と鏡筒支持部２ｇの前面との間に挿入し、クリップ部材５３の下端部の引き上げを解除して元に戻す。この結果、シート状部材５４の端部がクリップ部材５３と鏡筒支持部２ｇとによって挟持されて固定される。
【００５４】
クリップ部材５３の押圧力は、本体部５２に取り付けられたシート状部材５４に対してユーザが情報を記入する際に動かない程度であることが望ましい。
【００５５】
以上説明した本発明の実施の形態４によれば、ユーザが観察時に所望の情報を手書きで簡単に記録することができるとともに、その情報をユーザ間で容易に共有することができる。また、本実施の形態４によれば、観察内容に応じてシート状部材を交換することもできる。
【００５６】
（変形例４−１）
図１２は、本実施の形態４の変形例４−１に係る顕微鏡の前面側の構成を示す部分斜視図である。同図に示す顕微鏡５５の本体部５６は、筐体部２ａと、鏡筒部２ｂと、鏡筒支持部２ｈとを有する。鏡筒支持部２ｈの前面の略中央部には、二つのクリップ部材５３に加えて、鏡筒支持部２ｈの下端部付近から上方へ向けて片持ち梁状に延在し、上端部が鏡筒支持部２ｈの前面に離間可能に当接するクリップ部材５７が設けられており、これら３つのクリップ部材が保持手段を構成する。クリップ部材５７は、クリップ部材５３と同様の材料を用いて実現される。
【００５７】
本変形例４−１によれば、保持手段として二つのクリップ部材５３に加えてクリップ部材５７を設けることにより、シート状部材５４に３箇所で当接して保持するため、シート状部材５４を一段と確実に保持することができる。
【００５８】
（変形例４−２）
図１３は、本実施の形態４の変形例４−２に係る顕微鏡の前面側の構成を示す部分斜視図である。同図に示す顕微鏡５８の本体部５９は、筐体部２ａと、鏡筒部２ｂと、鏡筒支持部２ｉとを有する。鏡筒支持部２ｉの前面の略中央部には、鏡筒支持部２ｉの横方向（幅方向）に帯状に広がるとともに上方から下方に向けて片持ち梁状に延在し、下端部が鏡筒支持部２ｉの前面に離間可能に当接する幅広のクリップ部材６０（保持手段）が設けられている。クリップ部材６０はクリップ部材５３と同様の材料を用いて実現される。
【００５９】
本変形例４−２によれば、クリップ部材６０が広い範囲でシート状部材５４を保持するため、シート状部材５４が鏡筒支持部２ｉから外れてしまう可能性が低く、安定して保持することができる。加えて、本変形例４−２によれば、一つのクリップ部材６０によってシート状部材５４を保持することができるため、部品点数を削減することもできる。
【００６０】
（実施の形態５）
図１４は、本発明の実施の形態５に係る顕微鏡の前面側の構成を示す部分斜視図である。同図に示す顕微鏡７１の前面側以外の部分の構成は、実施の形態１で説明した顕微鏡１の構成と同様である。
【００６１】
顕微鏡７１の本体部７２の前面には、鏡筒部２ｂおよび鏡筒支持部２ｊが設けられている。鏡筒支持部２ｊの前面には、シート状部材５４の角部を収容して保持する二つの保持部材７３（保持手段）が設けられている。
【００６２】
鏡筒支持部２ｊは前面が斜め上方を向いて傾斜しているため、シート状部材５４を鏡筒支持部２ｊに取り付ける際に底辺側の二つの角部を二つの保持部材７３にそれぞれ位置合わせして載置すれば、シート状部材５４の上端部が鏡筒支持部２ｊの前面にもたれかかるようにして保持される。
【００６３】
以上説明した本発明の実施の形態５によれば、ユーザが観察時に所望の情報を手書きで簡単に記録することができるとともに、その情報をユーザ間で容易に共有することができる。また、本実施の形態５によれば、観察内容に応じてシート状部材を交換することもできる。
【００６４】
（変形例５−１）
図１５は、本実施の形態５の変形例５−１に係る顕微鏡の前面側の構成を示す部分斜視図である。同図に示す顕微鏡７４の本体部７５は、筐体部２ａと、鏡筒部２ｂと、鏡筒支持部２ｋとを有する。鏡筒支持部２ｋの前面には、シート状部材５４を載置して保持する保持部材７６（保持手段）が設けられている。
【００６５】
保持部材７６は、シート状部材５４を載置した状態における底辺の角部をそれぞれ収容する二つの収容部７６１、７６２と、収容部７６１と収容部７６２とを連結し、シート状部材５４の底辺部を載置する載置部７６３とを有する。
【００６６】
本変形例５−１によれば、シート状部材５４を安定して保持することができる。加えて、本変形例５−１によれば、一つの保持部材７６によってシート状部材５４を保持することができるため、部品点数を削減することもできる。
【００６７】
ここまで、本発明を実施するための形態を説明してきたが、本発明は上述した実施の形態１〜５によってのみ限定されるべきものではない。
例えば、本発明に係るシート状部材の形状は、主面が長方形をなすものに限られるわけではなく、主面が多角形、円形、楕円形等をなしていてもよい。
また、本発明は、正立型の顕微鏡に対しても適用することが可能である。
【００６８】
このように、本発明は、ここでは記載していない様々な実施の形態等を含みうるものであり、特許請求の範囲に記載した技術的思想を逸脱しない範囲内において、適宜設計変更等を行うことが可能である。
【符号の説明】
【００６９】
１、３１、３４、４１、５１、５５、５８、７１、７４  顕微鏡
２、３２、３５、４２、５２、５６、５９、７２、７５  本体部
２ａ  筐体部
２ｂ  鏡筒部
２ｃ、２ｄ、２ｅ、２ｆ、２ｇ、２ｈ、２ｉ、２ｊ、２ｋ  鏡筒支持部
３  ステージ
４  透過照明部
５  対物レンズ
６  レボルバ
７  レボルバ保持台
８  焦準操作部
９  第１ランプハウス
９ａ、２２ａ  光源
１０  ミラーユニット
１０ａ  励起フィルタ
１０ｂ  ダイクロイックミラー
１０ｃ  吸収フィルタ
１１  ミラーカセット
１２  結像レンズ
１３、２８  ミラー
１４  リレーレンズ
１５  制御部
１６  プリズム
１７  接眼レンズ
１８  ピン
１９、３７、４４〜４７、５４  シート状部材
２０  透過照明支柱
２１  アーム
２２  第２ランプハウス
２３  コンデンサレンズ
２４  コンデンサホルダ
２５  コンデンサ焦準操作部
２６  コレクタレンズ
２７  視野絞り
３３  屈曲ピン
３６  Ｌ字状部材
４３  表示部
５３、５７、６０  クリップ部材
７３、７６  保持部材
１９１、４４１、４５１、４６１、４７１  孔部
１９２  I型孔部
４３１  発光部
４５２  ガイド情報
４６２、４７２  低透過率領域
３７１  長孔部
４７３  開口部
７６１、７６２  収容部
７６３  載置部
Ｓｐ  標本
【図１】
0006032946.tif 000002
【図２】
0006032946.tif 000003
【図３】
0006032946.tif 000004
【図４】
0006032946.tif 000005
【図５】
0006032946.tif 000006
【図６】
0006032946.tif 000007
【図７】
0006032946.tif 000008
【図８】
0006032946.tif 000009
【図９】
0006032946.tif 000010
【図１０】
0006032946.tif 000011
【図１１】
0006032946.tif 000012
【図１２】
0006032946.tif 000013
【図１３】
0006032946.tif 000014
【図１４】
0006032946.tif 000015
【図１５】
0006032946.tif 000016